(57)【要約】  【課題】弁体の前端面をハンマー等で叩いても、継手本体の開口面に食い込まないようにした雄型継手部材。  【解決手段】継手本体１２と弁体１４と、バネ部材１６戸を有する。弁体は、継手本体１２の前端開口２０内に嵌合される前端部３６と、弁本体３８とを有する。前端部３６は、円形の前端面４０、継手本体１２の開口面３８よりも小径の前端環状面４２、前端環状面よりも小径の小径面４４を有する。小径面は、弁体が傾けられて開口面の後端縁３０と係合するときの後端縁３０との係合点から弁体の軸線Ｙの通り弁体の前端面の外周縁にまでに至る長さｂが、前端面の直径ａ以下とされている。【選択図】図２
2011075054.tif 000002
【特許請求の範囲】
【請求項１】
前端開口から後端開口まで延びる貫通孔を画定する内周面を有する筒状の継手本体であって、該内周面が、前端開口を画定する、当該継手本体の軸線に平行な円環状の開口面と、該開口面の円形の後端縁から後方に向かうに従い半径方向外側に広がるように傾斜した環状弁座面と、該環状弁座面に続き後方に延びる筒状面とを有する継手本体と；
該継手本体内部に設定された弁体であって、
該前端開口内に嵌合される前端部と、
該前端部に続いて後方に延びる弁本体とを有し、
該前端部は、円形の前端面、該前端面の外周縁から後方に延びる、該開口面よりも小さな直径を有する前端環状面、該前端環状面に続いて後方に延びる該前端環状面よりも小径の小径面を有し、
該弁本体は、該継手本体の環状弁座面に係合可能とされた環状のシール部材を有するようにした弁体と；
該弁体を前方に向けて付勢し、該弁体を、該弁体の前端部を該前端開口内に挿入すると共に該シール部材を該環状弁座面に密封係合した閉止位置とすると共に、該弁体の前端面にかけられる後方への力によって該弁体が後方に変位して、該シール部材が該環状弁座面から離れた解放位置となるのを許容するバネ部材と；
を有し、
該小径面は、後方への力が該弁体の前端面にかけられたときに、該弁体が、その前端面が該貫通孔の軸線に対して傾けられ、該小径面が該開口面の該円形の後端縁と係合するようになったときの該円形の後端縁と該小径面との係合点から該弁体の軸線を通り該弁体の前端面の外周縁にまで至る長さが、該開口面の直径と同じ若しくはそれよりも小さくなるようにされていることを特徴とする管継手の雄型継手部材。
【請求項２】
該小径面が、該前端部の該前端環状面と段差をもって形成され、該前端環状面と同軸状とされ一定直径を有するようにされた請求項１に記載の管継手の継手部材。
【請求項３】
該小径面が、該前端面の外周縁から後方に延びる該前端環状面に続いて後方に向かうに従って直径が小さくなるようにされた傾斜面とされている請求項１に記載の管継手の継手部材。
【請求項４】
該小径面が、
該開口面の該円形の後端縁に隣接し該後端縁よりも前方に延びている請求項１乃至３のいずれかに記載の管継手の継手部材。
【請求項５】
該弁本体が、該小径面の後端縁から後方に向かうに従って半径方向外側に広がる傾斜環状面を有し、該傾斜環状面に該環状のシール部材が取り付けられている請求項１乃至４のいずれかに記載の管継手の継手部材。
【請求項６】
該バネ部材が、継手本体の貫通孔内に同軸状にして設定される圧縮コイルバネとされ、
該弁体が、該弁本体の後端面中央に設けられた突起と、金属板から形成され、該突起に連結固定され、該圧縮コイルバネの前端と係合する円環状のバネ受け部及び該バネ受け部の外周縁から後方に筒状に延びる筒状のバネ支持部を有するバネ保持部材とを有する請求項１乃至５のいずれかに記載の管継手の継手部材。
【発明の詳細な説明】
【技術分野】
【０００１】
本発明は、管継手の雄型継手部材に係り、特に、開閉弁を備えた雄型継手部材に関する。
【背景技術】
【０００２】
雄型継手部材が、前端開口から後端開口まで延びる貫通孔を有する筒状の継手本体と、該継手本体内に設定された開閉弁とを有し、継手本体の前端開口が当該継手本体の前端面から後方に短く延びる一定直径の内周面によって画定され、開閉弁の弁体がバネ部材によって前方に付勢され、その前端部分が継手部材の前端開口内に嵌合されるようにされ、その状態で当該開閉弁が閉止状態とされるようにしたものがある。（特許文献１参照）
【０００３】
そのような雄型継手部材は、連結される雌型継手部材によって弁体が後方に押し込まれることによって、当該開閉弁が解放位置とされる。
【０００４】
しかし、当該雄型継手部材内に高圧流体が残留しているときには、作業者が雄型及び雌型の継手部材を連結しようとしても、この残留圧力により弁体を動かすことができない場合も生じる。そのような場合、作業者は、ハンマー等で、弁体の前端面を叩くことによって弁体を後方へ動かし残留圧力を逃すということが行われる。
【０００５】
しかしながら、ハンマーで弁体をそのように叩いた場合、弁体が筒状の継手本体の軸線に沿って平行には動かずに斜めになり、このために弁体の周面が継手本体の前端開口の周壁面に食い込んでしまい、そのようになった弁体は、ハンマーなどでは動かすことはできず、継手部材が使用不能となり、作業の大きな支障となることがある。
【先行技術文献】
【特許文献】
【０００６】
【特許文献１】特許第３９０９３３９号
【発明の開示】
【発明が解決しようとする課題】
【０００７】
本発明は、上記に鑑み、作業者がハンマーで弁体を叩いた場合でも、弁体の上述のような食い込みが生じるのをなくすようにした管継手の雄型継手部材を提供することを目的としている。
【課題を解決するための手段】
【０００８】
すなわち、本発明は、
前端開口から後端開口まで延びる貫通孔を画定する内周面を有する筒状の継手本体であって、該内周面が、前端開口を画定する、当該継手本体の軸線に平行な円環状の開口面と、該開口面の円形の後端縁から後方に向かうに従い半径方向外側に広がるように傾斜した環状弁座面と、該環状弁座面に続き後方に延びる筒状面とを有する継手本体と；
該継手本体内部に設定された弁体であって、
該前端開口内に嵌合される前端部と、
該前端部に続いて後方に延びる弁本体とを有し、
該前端部は、円形の前端面、該前端面の外周縁から後方に延びる、該開口面よりも小さな直径を有する前端環状面、該前端環状面に続いて後方に延びる該前端環状面よりも小径の小径面を有し、
該弁本体は、該継手本体の環状弁座面に係合可能とされた環状のシール部材を有するようにした弁体と；
該弁体を前方に向けて付勢し、該弁体を、該弁体の前端部を該前端開口内に挿入すると共に該シール部材を該環状弁座面に密封係合した閉止位置とすると共に、該弁体の前端面にかけられる後方への力によって該弁体が後方に変位して、該シール部材が該環状弁座面から離れた解放位置となるのを許容するバネ部材と；
を有し、
該小径面は、後方への力が該弁体の前端面にかけられ、該弁体が、その前端面が該貫通孔の軸線に対して傾斜するように傾けられ、該小径面が該開口面の該円形の後端縁と係合するようになったときの該円形の後端縁と該小径面との係合点から該弁体の軸線を通り該弁体の前端面の外周縁にまで至る長さが、該開口面の直径と同じ若しくはそれよりも小さくなるようにされていることを特徴とする管継手の雄型継手部材を提供する。
【０００９】
この雄型継手部材では、弁体が傾斜した際に小径面が継手部材の開口面の円形の後端縁と係合するようになったときの該円形の後端縁と該小径面との係合点から該弁体の軸線を通り該弁体の前端面の外周縁にまでに至る長さが、該開口面の直径と同じ若しくはそれよりも小さくなるようにされているので、弁体の周面が継手部材の開口面に食い込むことが無く、従って、前述の如き従来の雄型継手部材において生じる虞のあった、傾斜した弁体が継手本体の開口面に食い込んで動かすことができなくなるという事態を回避することが可能となる。上記において「直径と同じ」とは、開口面の直径より僅かに大きくて弁体が傾いた場合に、開口面に食い込むことがあっても、その食い込みが小径部を設けない場合より軽微となるような「直径と実質的に同じ」ものも含むものである。
【００１０】
小径面は、前端部の前端環状面と段差をもって形成され、前端環状面と同軸状とされ一定直径を有するようにされたものとすることができる。また、小径面が、前端面の外周縁から後方に延びる前端環状面に続いて後方に向かうに従って直径が小さくなるようにされた傾斜面とすることもできる。
【００１１】
また、小径面は、開口面の該円形の後端縁に隣接し該後端縁よりも前方に延びるようにすることができる。弁体がハンマー等で叩かれて傾斜するときには、幾分後方に押し込まれながら傾斜する場合が多いことを考慮してのものである。
【００１２】
具体的には、弁本体が、小径面の後端縁から後方に向かうに従って半径方向外側に広がる傾斜環状面を有し、該傾斜環状面に該環状のシール部材が取り付けられるようにすることができる。
【００１３】
また、バネ部材は、継手本体の貫通孔内に同軸状にして設定される圧縮コイルバネとし、弁体が、弁本体の後端面中央に設けられた突起と、金属板から形成され、該突起に連結固定され、圧縮コイルバネの前端と係合する円環状のバネ受け部及び該バネ受け部の外周縁から後方に筒状に延びる筒状のバネ支持部を有するバネ保持部材とを有するようにすることができる。
【００１４】
特許文献１に示される如き従来の弁体では、弁本体の後端面中央から後方に延びた細長いシャンクが設けられ、該シャンクの周りに圧縮コイルバネを設定するようにしている。この場合、シャンクを備えた弁体を切削加工により作ることになる。これに対して、本願発明に係る上記弁体は、圧縮コイルバネの保持のために、金属板から形成されたバネ保持部材を有するようにしたので、弁本体の後端面中央の突起は、該バネ保持部材が連結固定されるだけの短いものでよく、上述の如き従来の弁体に比べて製作コストを低減することができる。また、シャンクを必要としないために、弁体の長さを短くすることが可能となる。
【００１５】
以下、本発明を添付図面に示した実施形態に基づき説明する。
【図面の簡単な説明】
【００１６】
【図１】本発明に係る管継手の雄型継手部材の縦断面図であり、弁体が閉止位置にある状態を示す。
【図２】同雄型継手部材であって、弁体が、その前端面にかけられた力により後方に押し込まれながら傾斜した状態を示している。
【図３】図１の管継手における弁部材の分解側面図である。
【図４】図１の管継手における弁部材の分解斜視図である。
【発明を実施するための最良の形態】
【００１７】
図１に示す雄型継手部材１０は、図示しない雌型継手部材とともに管継手を構成するものであり、雌型継手部材に取り外し可能に挿入連結されるようになっている。
【００１８】
雄型継手部材１０は、筒状の継手本体１２と、該継手本体内に設定された弁体１４及び該弁体１４を前方に付勢する圧縮コイルバネ１６とを有している。
【００１９】
継手本体１２は、前端開口２０から後端開口２２まで延びる貫通孔２４を画定する内周面２６を有する。内周面２６は、前端開口２０を画定する、当該継手本体１２の軸線Ｘに平行な円環状の開口面２８と、該開口面２８の円形の後端縁３０から後方に向かうに従い半径方向外側に広がるように傾斜した環状弁座面３２と、該環状弁座面３２に続き後方に延びる筒状面３４とを有する。
【００２０】
弁体１４は、継手本体１２の前端開口２０内に挿入可能な前端部３６と、該前端部３６に続いて後方に延びる弁本体３８とを有する。
【００２１】
弁体１４の前端部３６は、円形の前端面４０、該前端面４０の面取された外周縁４１から後方に延びる、継手本体１２の開口面２８よりも小さな直径を有する前端環状面４２、該前端環状面４２に続いて後方に延びる該前端環状面４２よりも小径の小径面４４を有する。該小径面４４は前端環状面４２と段差をもって形成され、前端環状面４２と同軸状にされ一定の直径を有し、開口面２８の後端縁３０に隣接する位置から前方に延びている。
【００２２】
弁本体３８は、小径面４４の後端縁から後方に向かうに従って半径方向外側に広がる傾斜環状面４８を有しており、該傾斜環状面４８に環状の溝が設けられ、該溝には環状のシール部材５０が取り付けられている。詳細には傾斜環状面４８の上半環状部分を溝とし、該溝を更に後方に延ばした幅広の溝が形成され、その溝の中に環状のシール部材５０が設けられている。
【００２３】
弁体１４は、弁本体３８の後端面中央に設けられた突起５２と、金属板から形成され、該突起５２に連結固定され、圧縮コイルバネ１６の前端と係合する円環状のバネ受け部５４及び該バネ受け部５４の外周縁から後方に延びる筒状のバネ支持部５５を備えるバネ保持部材５６とを有する。圧縮コイルバネ１６は、その後端が、継手本体１２の内周面に固定されたバネ支持部材５８に支持されており、弁体１４を図１に示す閉止位置に付勢している。
【００２４】
図２は、弁体１４の前端面４０がハンマーなどによって叩かれて（弁体１４の軸線Ｙから図２で見て下方にずれた）力Ｆが加えられて当該弁体１４が傾斜し、小径面４４が、継手本体１２の開口面２８の円形の後端縁３０と係合した状態を示している。本願発明においては、このような状態になったときに、開口面２８の後端縁３０と小径面４４との係合点Ａから弁体１４の軸線Ｙの通り弁体１４の前端面４０の外周縁４１にまでに至る長さｂが、前端面４０の直径ａと同じかそれよりも小さくなるようにされている。図示の例では、小径面４４のどの部分が開口面２８の後端縁３０と係合しても、上記のような関係がなりたつように、小径面４４の前端及び後端から弁体１４の軸線Ｙを通って弁体１４の前端面４０の外周縁までに至る長さｂ１，ｂ２が前端面４０の直径ａよりも小さくなるようにされている。従って、弁体１４は、ハンマーによる打撃力Ｆによって図示のように傾きが生じたとしても、その周面が開口面２８に食い込むことはなく後退して、当該雄型継手部材１０内の流体圧を逃すことを可能とする。
【００２５】
以上、本発明に係る雄型継手部材１０の実施形態につき説明したが、本発明はこれに限定されるものではない。例えば、小径面４４は環状面４２の後端から後方に向かいに従って径の小さくなるテーパ面としたり、湾曲面としたりすることもできる。
【符号の説明】
【００２６】
雄型継手部材１０；継手本体１２；弁体１４；圧縮コイルバネ１６；前端開口２０；後端開口２２；貫通孔２４；内周面２６；開口面２８；後端縁３０；環状弁座面３２；筒状面３４；前端部３６；弁本体３８；前端面４０；前端環状面４２；小径面４４；傾斜環状面４８；シール部材５０；突起５２；バネ受け部５４；バネ保持部材５６；バネ支持部材５８；継手本体の軸線Ｘ；弁体の軸線Ｙ；弁体の前端面の直径ａ；開口面の後端縁と小径面との係合点から弁体の軸線の通り弁体の前端面の外周縁にまでに至る長さｂ、ｂ１，ｂ２
【図１】
2011075054.tif 000003
【図２】
2011075054.tif 000004
【図３】
2011075054.tif 000005
【図４】
2011075054.tif 000006
【手続補正書】
【提出日】平成22年9月30日(2010.9.30)
【手続補正１】
【補正対象書類名】明細書
【補正対象項目名】全文
【補正方法】変更
【補正の内容】
【発明の詳細な説明】
【技術分野】
【０００１】
本発明は、管継手の雄型継手部材に係り、特に、開閉弁を備えた雄型継手部材に関する。
【背景技術】
【０００２】
雄型継手部材が、前端開口から後端開口まで延びる貫通孔を有する筒状の継手本体と、該継手本体内に設定された開閉弁とを有し、継手本体の前端開口が当該継手本体の前端面から後方に短く延びる一定直径の内周面によって画定され、開閉弁の弁体がバネ部材によって前方に付勢され、当該弁体の前端部分の外周面が継手部材の前端開口の内周面内に嵌合されるようにされ、その状態で当該開閉弁が閉止状態とされるようにしたものがある。（特許文献１参照）
【０００３】
そのような雄型継手部材は、連結される雌型継手部材によって弁体が後方に押し込まれることによって、当該開閉弁が解放位置とされる。
【０００４】
しかし、当該雄型継手部材内に高圧流体が残留しているときには、作業者が雄型及び雌型の継手部材を連結しようとしても、この残留圧力により弁体を動かすことができない場合も生じる。そのような場合、作業者は、ハンマー等で、弁体の前端面を叩くことによって弁体を後方へ動かし残留圧力を逃すということが行われる。
【０００５】
しかしながら、ハンマーで弁体をそのように叩いた場合、弁体が筒状の継手本体の軸線に沿って平行には動かずに斜めになり、このために弁体の周面が継手本体の前端開口の周壁面に食い込んでしまい、そのようになった弁体は、ハンマーなどでは動かすことはできず、継手部材が使用不能となり、作業の大きな支障となることがある。
【先行技術文献】
【特許文献】
【０００６】
【特許文献１】特許第３９０９３３９号
【発明の開示】
【発明が解決しようとする課題】
【０００７】
本発明は、上記に鑑み、作業者がハンマーで弁体を叩いた場合でも、弁体の上述のような食い込みが生じるのをなくすようにした管継手の雄型継手部材を提供することを目的としている。
【課題を解決するための手段】
【０００８】
すなわち、本発明は、
前端開口（以下に述べる本発明の実施形態の説明においては参照番号２０で示す：以下の（）内に示す番号は実施形態と同様の関係を示す）から後端開口（２２）まで延びる貫通孔（２４）を画定する内周面（２６）を有する筒状の継手本体（１２）であって、該内周面が、前端開口（２０）を画定する、当該継手本体（１２）の軸線（X）に平行な円環状の開口面（２８）と、該開口面の円形の後端縁（３０）から後方に向かうに従い半径方向外側に広がるように傾斜した環状弁座面（３２）と、該環状弁座面（３２）に続き後方に延びる筒状面（３４）とを有する継手本体（１２）と；
該継手本体（１２）内部に設定された弁体（１４）であって、
該前端開口（２０）内に嵌合される前端部（３６）と、
該前端部（３６）に続いて後方に延びる弁本体（３８）と
を有し、
該前端部（３６）は、円形の前端面（４０）、該前端面（４０）の外周縁から後
方に延びる、該開口面（２８）よりも小さな直径を有する前端環状面（４２）、
該前端環状面に続いて後方に延びる該前端環状面（４２）よりも小径の小径面（
４４）を有し、
該弁本体（３８）は、該継手本体（１２）の環状弁座面（３２）に係合可能とさ
れた環状のシール部材（５０）を有するようにした弁体（１４）と；
該弁体（１４）を前方に向けて付勢し、該弁体（１４）を、該弁体の前端部（３６）を該前端開口（２０）内に挿入すると共に該シール部材（５０）を該環状弁座面（３２）に密封係合した閉止位置とすると共に、該弁体（１４）の前端面（４０）にかけられる後方への力によって該弁体（１４）が後方に変位して、該シール部材（５０）が該環状弁座面（３２）から離れた解放位置となるのを許容するバネ部材（１６）と；
を有し、
該小径面（４４）は、後方への力が該弁体（１４）の前端面（４０）にかけられ、該弁体（１４）が、その前端面（４０）が該貫通孔（２４）の軸線（X）に対して傾斜するように傾けられ、該小径面（４４）が該開口面（２８）の該円形の後端縁（３０）と係合するようになったときの該円形の後端縁（３０）と該小径面（４４）との係合点（A）から該弁体の軸線（X）を通り該弁体（１４）の前端面（４０）の外周縁（４１）にまで至る長さ（ｂ、ｂ１、ｂ２）が、該開口面（２８）の直径と同じ若しくはそれよりも小さくなるようにされていることを特徴とする管継手の雄型継手部材（１）を提供する。
【０００９】
この雄型継手部材では、弁体（１４）が傾斜した際に小径面（４４）が継手本体（１２）の開口面（２８）の円形の後端縁（３０）と係合するようになったときの該円形の後端縁（３０）と該小径面（４４）との係合点（A）から該弁体の軸線（X）を通り該弁体（１４）の前端面（４０）の外周縁（４１）にまでに至る長さ（ｂ、ｂ１、ｂ２）が、該開口面（２８）の直径と同じ若しくはそれよりも小さくなるようにされているので、弁体（１４）の周面が継手本体の開口面（２８）に食い込むことが無く、従って、前述の如き従来の雄型継手部材において生じる虞のあった、傾斜した弁体が継手本体の開口面に食い込んで動かすことができなくなるという事態を回避することが可能となる。上記において「直径と同じ」とは、開口面の直径より僅かに大きくて弁体が傾いた場合に、開口面に食い込むことがあっても、その食い込みが小径部を設けない場合より軽微となるような「直径と実質的に同じ」ものも含むものである。
【００１０】
小径面（４４）は、前端部（３６）の前端環状面（４２）と段差をもって形成され、前端環状面（４２）と同軸状とされ一定直径を有するようにされたものとすることができる。また、小径面（４４）が、前端面（３６）の外周縁（４１）から後方に延びる前端環状面（４２）に続いて後方に向かうに従って直径が小さくなるようにされた傾斜面とすることもできる。
【００１１】
また、小径面（４４）は、開口面（２８）の該円形の後端縁（３０）に隣接し該後端縁（３０）よりも前方に延びるようにすることができる。弁体（１４）がハンマー等で叩かれて傾斜するときには、幾分後方に押し込まれながら傾斜する場合が多いことを考慮してのものである。
【００１２】
具体的には、弁本体（３８）が、小径面（４４）の後端縁から後方に向かうに従って半径方向外側に広がる傾斜環状面（４８）を有し、該傾斜環状面に該環状のシール部材（５０）が取り付けられるようにすることができる。
【００１３】
また、バネ部材（１６）は、継手本体（１２）の貫通孔（２４）内に同軸状にして設定される圧縮コイルバネとし、弁体（１４）が、弁本体（３８）の後端面中央に設けられた突起（５２）と、金属板から形成され、該突起（５０）に連結固定され、圧縮コイルバネ（１６）の前端と係合する円環状のバネ受け部（５４）及び該バネ受け部の外周縁から後方に筒状に延びる筒状のバネ支持部（５５）を有するバネ保持部材（５６）とを有するようにすることができる。
【００１４】
特許文献１に示される如き従来の弁体では、弁本体の後端面中央から後方に延びた細長いシャンクが設けられ、該シャンクの周りに圧縮コイルバネを設定するようにしている。この場合、シャンクを備えた弁体を切削加工により作ることになる。これに対して、本願発明に係る上記弁体は、圧縮コイルバネの保持のために、金属板から形成されたバネ保持部材を有するようにしたので、弁本体の後端面中央の突起は、該バネ保持部材が連結固定されるだけの短いものでよく、上述の如き従来の弁体に比べて製作コストを低減することができる。また、シャンクを必要としないために、弁体の長さを短くすることが可能となる。
【００１５】
以下、本発明を添付図面に示した実施形態に基づき説明する。
【図面の簡単な説明】
【００１６】
【図１】本発明に係る管継手の雄型継手部材の縦断面図であり、弁体が閉止位置にある状態を示す。
【図２】同雄型継手部材であって、弁体が、その前端面にかけられた力により後方に押し込まれながら傾斜した状態を示している。
【図３】図１の管継手における弁部材の分解側面図である。
【図４】図１の管継手における弁部材の分解斜視図である。
【発明を実施するための最良の形態】
【００１７】
図１に示す雄型継手部材１０は、図示しない雌型継手部材とともに管継手を構成するものであり、雌型継手部材に取り外し可能に挿入連結されるようになっている。
【００１８】
雄型継手部材１０は、筒状の継手本体１２と、該継手本体内に設定された弁体１４及び該弁体１４を前方に付勢するバネ部材、図示の例では、圧縮コイルバネ１６とを有している。
【００１９】
継手本体１２は、前端開口２０から後端開口２２まで延びる貫通孔２４を画定する内周面２６を有する。内周面２６は、前端開口２０を画定する、当該継手本体１２の軸線Ｘに平行な円環状の開口面２８と、該開口面２８の円形の後端縁３０から後方に向かうに従い半径方向外側に広がるように傾斜した環状弁座面３２と、該環状弁座面３２に続き後方に延びる筒状面３４とを有する。
【００２０】
弁体１４は、継手本体１２の前端開口２０内に挿入可能な前端部３６と、該前端部３６に続いて後方に延びる弁本体３８とを有する。
【００２１】
弁体１４の前端部３６は、円形の前端面４０、該前端面４０の面取された外周縁４１から後方に延びる、継手本体１２の開口面２８よりも小さな直径を有する前端環状面４２、該前端環状面４２に続いて後方に延びる該前端環状面４２よりも小径の小径面４４を有する。該小径面４４は前端環状面４２と段差をもって形成され、前端環状面４２と同軸状にされ一定の直径を有し、開口面２８の後端縁３０に隣接する位置から前方に延びている。
【００２２】
弁本体３８は、小径面４４の後端縁から後方に向かうに従って半径方向外側に広がる傾斜環状面４８を有しており、該傾斜環状面４８に環状の溝が設けられ、該溝には環状のシール部材５０が取り付けられている。詳細には傾斜環状面４８の上半環状部分（図１で見て、傾斜環状面４８の略中央から右側の部分）に溝を形成し、その溝の中に環状のシール部材５０が設けられている。
【００２３】
弁体１４は、弁本体３８の後端面中央に設けられた突起５２と、金属板から形成され、該突起５２に連結固定され、圧縮コイルバネ１６の前端と係合する円環状のバネ受け部５４及び該バネ受け部５４の外周縁から後方に延びる筒状のバネ支持部５５を備えるバネ保持部材５６とを有する。圧縮コイルバネ１６は、その後端が、継手本体１２の内周面に固定されたバネ支持部材５８に支持されており、弁体１４を図１に示す閉止位置に付勢している。
【００２４】
図２は、弁体１４の前端面４０がハンマーなどによって叩かれて（弁体１４の軸線Ｙから図２で見て下方にずれた）力Ｆが加えられて当該弁体１４が傾斜し、小径面４４が、継手本体１２の開口面２８の円形の後端縁３０と係合した状態を示している。本願発明においては、このような状態になったときに、開口面２８の後端縁３０と小径面４４との係合点Ａから弁体１４の軸線Ｙを通り弁体１４の前端面４０の外周縁４１にまでに至る長さｂが、前端面４０の直径ａと同じかそれよりも小さくなるようにされている。図示の例では、小径面４４のどの部分が開口面２８の後端縁３０と係合しても、上記のような関係がなりたつように、小径面４４の前端及び後端から、それぞれ、弁体１４の軸線Ｙを通って弁体１４の前端面４０の外周縁までに至る長さｂ１，ｂ２が前端面４０の直径ａよりも小さくなるようにされている。従って、弁体１４は、ハンマーによる打撃力Ｆによって図示のように傾きが生じたとしても、その周面が開口面２８に食い込むことはなく後退して、当該雄型継手部材１０内の流体圧を逃すことを可能とする。
【００２５】
以上、本発明に係る雄型継手部材１０の実施形態につき説明したが、本発明はこれに限定されるものではない。例えば、小径面４４は環状面４２の後端から後方に向かいに従って径の小さくなるテーパ面としたり、湾曲面としたりすることもできる。
【符号の説明】
【００２６】
雄型継手部材１０；継手本体１２；弁体１４；圧縮コイルバネ１６；前端開口２０；後端開口２２；貫通孔２４；内周面２６；開口面２８；後端縁３０；環状弁座面３２；筒状面３４；前端部３６；弁本体３８；前端面４０；前端環状面４２；小径面４４；傾斜環状面４８；シール部材５０；突起５２；バネ受け部５４；バネ保持部材５６；バネ支持部材５８；継手本体の軸線Ｘ；弁体の軸線Ｙ；弁体の前端面の直径ａ；開口面の後端縁と小径面との係合点から弁体の軸線の通り弁体の前端面の外周縁にまでに至る長さｂ、ｂ１，ｂ２